(57)【要約】【課題】ドラム缶等の定型容器を安定して積層することを可能とし、地震等外力を受けるような場合であっても、積み重ねられた定型容器の荷崩れを防止する。【解決手段】定型容器の格納棚１０は、矩形の有蓋ボックス１２が多段に積層された状態で一体に固定されたボックス集合体１６が、隣接するボックス集合体１６の上端部同士が連結杆１８によって連結されて、複数のボックス集合体１６が一体に固定されてなるものである。又、各ボックス集合体１６は、床面ＦＬ上に単に載置されているのみである。地震等の外力を受けるような場合において、上下に隣接する有蓋ボックス１２同士が連結されることで、各ボックス集合体１６単位での、有蓋ボックス１２の倒壊を防止することができる。又、各ボックス集合体１６同士が支えあって、各ボックス集合体１６の転倒や倒壊を防止することができる。【選択図】図１
2009073597.tif 000002
【特許請求の範囲】
【請求項１】
一定数の定型容器を格納する矩形の有蓋ボックスが多段に積層された状態で、少なくとも上下に隣接する有蓋ボックス同士が連結手段によって連結されて一体に固定されたボックス集合体が形成され、該ボックス集合体が、所定の間隔を空けて前後左右に複数配置され、更に、隣接するボックス集合体の上端部同士が連結杆によって連結されて、複数のボックス集合体が一体に固定されてなることを特徴とする定型容器の格納棚。
【請求項２】
前記連結手段は、ボルト乃至ピンと、前記有蓋ボックスの側面の、上下に積層された状態で互いに隣接する部分に設けられた、前記ボルト乃至ピンを挿通して互いに固定するための固定金具とで構成されていることを特徴とする定型容器の格納棚。
【請求項３】
少なくとも最上段に積層される有蓋ボックスの、蓋又は側壁に、前記連結杆を固定するための固定金具が設けられていることを特徴とする請求項１又は２記載の定型容器の格納棚。
【請求項４】
前記連結杆は伸縮自在であることを特徴とする請求項１から３のいずれか１項記載の定型容器の格納棚。
【請求項５】
前記連結杆は、二本の角棒乃至角パイプがターンバックルによって連結されてなることを特徴とする請求項４記載の定型容器の格納棚。
【請求項６】
前記有蓋ボックスの、蓋乃至側壁の上端部に、上方から積み重ねられる有蓋ボックスを上下方向に整列させるためのガイド金具が設けられていることを特徴とする請求項１から５のいずれか１項記載の定型容器の格納棚。
【請求項７】
一定数の定型容器が載置された矩形の平パレットが多段に積層され、最上段の平パレットに載置された定型容器の上面に、押え蓋が載置された状態で、該押え蓋及び少なくとも上下に隣接する平パレット同士が連結手段によって連結されて一体に固定されたパレット集合体が形成され、該パレット集合体が、所定の間隔を空けて前後左右に複数配置され、更に、隣接するパレット集合体の押え蓋同士が連結杆によって連結されて、複数のパレット集合体が一体に固定されてなることを特徴とする定型容器の格納棚。
【請求項８】
前記連結手段は、前記平パレット及び押え蓋の側面に設けられたフックと、上下のフック間に掛けられる伸縮自在なワイヤとで構成されていることを特徴とする請求項７記載の定型容器の格納棚。
【請求項９】
前記連結杆は伸縮自在であることを特徴とする請求項７又は８記載の定型容器の格納棚。
【請求項１０】
前記連結杆は、二本の角棒乃至角パイプがターンバックルによって連結されてなることを特徴とする請求項７から９のいずれか１項記載の定型容器の格納棚。
【発明の詳細な説明】
【技術分野】
【０００１】
本発明は、定型容器の格納棚に関するものである。
【背景技術】
【０００２】
ドラム缶等の定型容器は、形状及び大きさ  が統一されており、それ自体を積み重ねても比較的安定した状態を維持することが可能である。しかしながら、積層状態での安定性を更に高め、なおかつ、フォークリフト等の搬機により複数個をまとめて積み重ね、又は積み降ろし作業をすることができるように、予め、一定数の定型容器を平パレットに載せた状態で、複数の平パレットを積み重ねることも広く行われている。
一方、地震等外部からの力を受けるような場合においても、積み重ねられた定型容器が荷崩れを起こすことがないように、ボールを用いた免震荷台（例えば、特許文献１参照。）や、床面にブラケットを介して荷棚を固定することにより、転倒を防止する荷棚（例えば、特許文献２参照。）も、広く用いられている。
【０００３】
【特許文献１】特開２０００−２９１７２６号公報
【特許文献２】特開２００１−１９９４９５号公報
【発明の開示】
【発明が解決しようとする課題】
【０００４】
本発明は、定型容器を複数積層して保管するための格納棚に関するものであり、その目的とするところは、ドラム缶等の定型容器を安定して積層することを可能とし、地震等外力を受けるような場合であっても、積み重ねられた定型容器の荷崩れを防止することにある。
【課題を解決するための手段】
【０００５】
（発明の態様）
以下の発明の態様は、本発明の構成を例示するものであり、本発明の多様な構成の理解を容易にするために、項別けして説明するものである。又、各項は、本発明の技術的範囲を限定するものではない。よって、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）一定数の定型容器を格納する矩形の有蓋ボックスが多段に積層された状態で、少なくとも上下に隣接する有蓋ボックス同士が連結手段によって連結されて一体に固定されたボックス集合体が形成され、更に、隣接するボックス集合体の上端部同士が連結杆によって連結されて、複数のボックス集合体が一体に固定されてなる定型容器の格納棚。
本項に記載の定型容器の格納棚は、矩形の有蓋ボックスが多段に積層された状態で一体に固定されたボックス集合体が、所定の間隔を空けて前後左右に複数配置され、更に、隣接するボックス集合体の上端部同士が連結杆によって連結されて、複数のボックス集合体が一体に固定されてなることにより、地震等外力を受けるような場合であっても、各ボックス集合体同士が支えあって、有蓋ボックスの転倒や倒壊を防止するものである。
【０００７】
（２）上記（１）項において、前記ボックス集合体が、所定の間隔を空けて前後左右に複数配置されている定型容器の格納棚（請求項１）。
本項に記載の定型容器の格納棚は、隣接するボックス集合体の間の、所定の間隔の隙間部分を、通路等、有効な空間として利用することが可能となっている。
【０００８】
（３）前記連結手段は、ボルト乃至ピンと、前記有蓋ボックスの側面の、上下に積層された状態で互いに隣接する部分に設けられた、前記ボルト乃至ピンを挿通して互いに固定するための固定金具とで構成されている定型容器の格納棚（請求項２）。
本項に記載の定型容器の格納棚は、ボルト乃至ピンと、前記有蓋ボックスの側面の、上下に積層された状態で互いに隣接する部分に設けられた、前記ボルト乃至ピンを挿通して互いに固定するための固定金具とで、上下に隣接する有蓋ボックス同士が連結されることにより、積層された複数の有蓋ボックスが一体に固定された、ボックス集合体が形成される。そして、各ボックス集合体単位での、有蓋ボックスの倒壊を防止するものである。
【０００９】
（４）少なくとも最上段に積層される有蓋ボックスの、蓋又は側壁に、前記連結杆を固定するための固定金具が設けられている定型容器の格納棚（請求項３）。
本項に記載の定型容器の格納棚は、少なくとも最上段に積層される有蓋ボックスの、蓋又は側壁に設けられた固定金具によって、連結杆が固定されることで、隣接するボックス集合体の上端部同士が連結杆によって連結されて、複数のボックス集合体が一体に固定されるものである。
【００１０】
（５）前記連結杆は伸縮自在である定型容器の格納棚（請求項４）。
本項に記載の定型容器の格納棚は、連結杆が伸縮自在であることから、各ボックス集合体の連結作業を行う際には、隣接するボックス集合体の上端部同士を連結するに適した長さに連結杆を調整して、連結作業を行うものである。又、連結後に連結杆を伸縮することで、各連結杆に適切なテンションを付与し、隣接するボックス集合体同士の安定性を高めるものである。
【００１１】
（６）前記連結杆は、二本の角棒乃至角パイプがターンバックルによって連結されてなる定型容器の格納棚（請求項５）。
本項に記載の定型容器の格納棚は、ターンバックルを伸縮させることで、二本の角棒乃至角パイプの端部間距離が変化し、連結杆が伸縮するものである。
【００１２】
（７）前記有蓋ボックスの、蓋乃至側壁の上端部に、上方から積み重ねられる有蓋ボックスを上下方向に整列させるためのガイド金具が設けられている定型容器の格納棚（請求項６）。
本項に記載の定型容器の格納棚は、蓋乃至側壁の上端部に設けられたガイド金具によって、上方から積み重ねられる有蓋ボックスを、下段に位置する有蓋ボックスに対し上下方向に整列させ、有蓋ボックスの積層状態の安定化を図る。又、連結手段による、上下に隣接する有蓋ボックス同士の連結を確実に行うものである。
【００１３】
（８）一定数の定型容器が載置された矩形の平パレットが多段に積層され、最上段の平パレットに載置された定型容器の上面に、押え蓋が載置された状態で、該押え蓋及び少なくとも上下に隣接する平パレット同士が連結手段によって連結されて一体に固定されたパレット集合体が形成され、更に、隣接するパレット集合体の押え蓋同士が連結杆によって連結されて、複数のパレット集合体が一体に固定されてなる定型容器の格納棚。
本項に記載の定型容器の格納棚は、一定数の定型容器が載置された矩形の平パレットが多段に積層された状態で一体に固定されたパレット集合体が、所定の間隔を空けて前後左右に複数配置され、更に、隣接するパレット集合体の上端部同士が連結杆によって連結されて、複数のパレット集合体が一体に固定されてなることにより、地震等外力を受けるような場合であっても、各パレット集合体によって平パレットに載置された複数の定型容器の荷崩れを防ぎ、なおかつ、各パレット集合体同士が支えあうことにより、パレット集合体の転倒を防止するものである。
【００１４】
（９）上記（８）項において、前記ボックス集合体が、所定の間隔を空けて前後左右に複数配置されている定型容器の格納棚（請求項７）。
本項に記載の定型容器の格納棚は、隣接するボックス集合体に対する所定の間隔の隙間部分を、通路等、有効な空間として利用することが可能となっている。
【００１５】
（１０）前記連結手段は、前記平パレット及び押え蓋の側面に設けられたフックと、上下のフック間に掛けられる伸縮自在なワイヤとで構成されている定型容器の格納棚（請求項８）。
本項に記載の定型容器の格納棚は、平パレット及び押え蓋の側面に設けられたフックと、上下のフック間に掛けられる伸縮自在なワイヤとで、積層された上下の平パレット同士が連結されて一体に固定されたパレット集合体が形成される。そして、各パレット集合体単位での、定型容器及び平パレットの倒壊を防止するものである。
【００１６】
（１１）前記連結杆は伸縮自在である定型容器の格納棚（請求項９）。
本項に記載の定型容器の格納棚は、連結杆が伸縮自在であることから、各パレット集合体の連結作業を行う際には、隣接するパレット集合体の上端部同士を連結するに適した長さに連結杆を調整して、連結作業を行うものである。又、連結後に連結杆を伸縮することで、各連結杆に適切なテンションを付与し、隣接するパレット集合体同士の安定性を高めるものである。
【００１７】
（１２）前記連結杆は、二本の角棒乃至角パイプがターンバックルによって連結されてなる定型容器の格納棚（請求項１０）。
本項に記載の定型容器の格納棚は、ターンバックルを伸縮させることで、二本の角棒乃至角パイプの端部間距離が変わり、連結杆が伸縮するものである。
【発明の効果】
【００１８】
本発明はこのように構成したので、ドラム缶等の定型容器を安定して積み重ねることが可能となり、地震等外力を受けるような場合であっても、積み重ねられた定型容器の荷崩れを防止することができる。
【発明を実施するための最良の形態】
【００１９】
以下、本発明を実施するための最良の形態を添付図面に基づいて説明する。ここで、従来技術と同一部分、若しくは相当する部分については、同一符号で示し、詳しい説明を省略する。
本発明の第１の実施の形態に係る定型容器の格納棚１０は、図１、図２に示されるように、一定数の定型容器を格納する矩形の有蓋ボックス１２が多段（図示の例では三段）に積層された状態で、少なくとも上下に隣接する有蓋ボックス１２同士が連結手段１４によって連結されて一体に固定されたボックス集合体１６が形成されている。又、ボックス集合体１６が、所定の間隔Ｌを空けて前後左右に複数配置され、更に、隣接するボックス集合体１６の上端部同士が、連結杆１８によって連結されて、複数のボックス集合体１６が一体に固定されてなるものである。なお、各ボックス集合体１６は、床面ＦＬ上に単に載置されているのみであり、床面ＦＬに対し特に固定はされていない。又、必要に応じ、上下に隣接する有蓋ボック１２同士だけではなく、最上段および最下段の有蓋ボックス１２同士も、適切な手段によって固定することとしても良い。
【００２０】
有蓋ボックス１２は、図３から図５にも示されるように、矩形箱状のパレット部２０と、蓋部２２とからなり、パレット部２０、蓋部２２共に、外板及び補強フレームとで構成されている。そして、パレット部２０の内部に四本のドラム缶Ｃを収納して、蓋部２２で覆い、ボルト２４によって蓋部２２をパレット部２０に固定することにより、蓋部２２の下面に固定された弾性シール部材２５が弾性変形し、ドラム缶Ｃを内部に密閉することが可能である。又、パレット部２０の底板２６には、フォークリフトの爪を挿入することが可能な開口２６ａが四方の側面全てに設けられている。
【００２１】
連結手段１４は、ボルト（乃至ピン）２８と、有蓋ボックス１２の側面の、上下に積層された状態で互いに隣接する部分に設けられた、ボルト２８を挿通して互いに固定するための固定金具３０とで構成されている。固定金具３０は、図６にも示されるように、有蓋ボックス１２の、底板２６の側方に固定された円管状ブラケット３０Ａと、パレット部２０の上端部に設けられたＬ字状ステー３０Ｂとからなり、ボルト２８を円管状ブラケット３０Ａ及びＬ字状ステー３０Ｂの開口に挿通し、ワッシャー３２をボルト２８に挿通してナット３４を締付けることにより、上下に隣接する有蓋ボックス１２、１２同士を固定するものである。なお、図示の例では、連結手段１４は、四方の各側面に一組づつ設けられているが、必要に応じ、各二組以上設けることとしても良い。
【００２２】
又、少なくとも最上段に積層される有蓋ボックス１２の、蓋部２２の四方の端部及びパレット部２０の四方の壁には、連結杆１８を固定するための固定金具３６が設けられている。固定金具３６は、図７にも示されるように、有蓋ボックス１２の、蓋部２２に固定された門型ブラケット３６Ａと、パレット部２０に固定されたＬ字状ステー３６Ｂとからなるものである。
【００２３】
一方、連結杆１８は、二本の角棒乃至角パイプ３８がターンバックル４０によって連結されてなるものであり、ターンバックル４０を調整することで、全体の長さが伸縮自在ととなっている。至角パイプ３８には、門型ブラケット３６Ａ及びＬ字状ステー３６Ｂへとボルトによって固定するための孔３８ａ、３８ｂが形成されている。そして、角パイプを用いる場合には、孔３８ａ、３８ｂには丸パイプが挿通されることで、孔の補強がなされている。なお、角パイプ３８に換えて、二本の角棒を用いることとしても良い。又、なお、図示の例では、連結杆１８は、四方の各側面に一組づつ設けられているが、必要に応じ、各二組以上設けることとしても良い。
【００２４】
更に、有蓋ボックス１２の蓋部２２には、ガイド金具４２が設けられている。ガイド金具４２は、蓋２２の四隅に設けられており、図８に示されるように、上方外側へと広がる曲面板により形成され、平面視でＬ字状をなしている。そして、蓋部２２の上方から有蓋ボックス１２を積み重ねる際に、上下方向に整列させるためのガイド金具４２に沿って、上の有蓋ボックス１２の底板２６が案内されることで（矢印Ａで示す。）、上方から積み重ねられる有蓋ボックス１２の、下段に位置する有蓋ボックス１２に対するずれを矯正し、上下方向に整列させるものである。
なお、便宜上、図１の最下段の有蓋ボックス１２には、ガイド金具４２が一側にのみ図示されているが、実際には、蓋２２の四隅に設けられている。又、ガイド金具４２の形状は図示の例に限定されるものではなく、上方から積み重ねられる有蓋ボックス１２を、下の有蓋ボックス１２に対し、上下方向に整列させることが可能なガイド機能を備えるものであれば良い。
【００２５】
上記構成をなす、本発明の第１の実施の形態によれば、次のような作用効果を得ることが可能である。まず、定型容器の格納棚１０は、矩形の有蓋ボックス１２が多段に積層された状態で一体に固定されたボックス集合体１６が、所定の間隔Ｌを空けて前後左右に複数配置され、更に、隣接するボックス集合体１６の上端部同士が連結杆１８によって連結されて、複数のボックス集合体１６が一体に固定されてなるものである。従って、地震に見舞われるような不慮の事態においても、各ボックス集合体１６同士が支えあって、有蓋ボックス１２の転倒や倒壊を防止することができる。
又、隣接するボックス集合体１６の間の、所定の間隔Ｌの隙間部分を、通路等、有効な空間として利用することが可能となっている。よって、各ボックス集合体１６単位で、積層されたドラム缶Ｃの保管状況を確認することも容易である。なお、各ボックス集合体１６の間の、縦方向又は横方向の隙間Ｌは、必ずしも全列均一である必要はなく、必要に応じて適宜設定することが可能である。
【００２６】
又、本発明の第１の実施の形態に係る定型容器の格納棚１０は、ボルト乃至ピン２８と、有蓋ボックス１２の側面の、上下に積層された状態で互いに隣接する部分に設けられた、ボルト乃至ピン２８を挿通して互いに固定するための固定金具３０（円管状ブラケット３０Ａ、Ｌ字状ステー３０Ｂ）とで、上下に隣接する有蓋ボックス１２同士が連結されることで、一体に固定されたボックス集合体１６が形成される。そして、各ボックス集合体１６単位での、有蓋ボックス１２の倒壊を防止することができる。
【００２７】
又、本発明の第１の実施の形態に係る定型容器の格納棚１０は、最上段に積層される有蓋ボックス１２の、蓋及び側壁に設けられた固定金具３６（門型ブラケット３６Ａ、Ｌ字状ステー３６Ｂ）によって、連結杆１８が固定されることで、隣接するボックス集合体１６の上端部同士が連結杆１８によって連結されて、複数のボックス集合体１６が一体に固定されるものである。なお、連結杆１８による各ボックス集合体１６の固定位置は、最上段に限定されるものではなく、例えば、最上段の一段下の段において、連結杆１８により各ボックス集合体１６同士を固定することも可能である。
【００２８】
又、本発明の第１の実施の形態に係る定型容器の格納棚１０において、連結杆１８は、二本の角棒乃至角パイプ３８が、ターンバックル４０によって連結されてなることから、ターンバックル１８を伸縮させることで、二本の角棒乃至角パイプ３８の端部間距離が変化し、連結杆が伸縮するものである。
このように、連結杆１８が伸縮自在であることから、各ボックス集合体１６の連結作業を行う際には、隣接するボックス集合体１６の上端部同士を連結するに適した長さに連結杆１８を調整して、連結作業を円滑に行うもことができる。又、連結後に連結杆１８を伸縮することで、各連結杆１８に適切なテンションを付与し、隣接するボックス集合体１６同士の安定性を高めることが可能となる。
【００２９】
本発明の実施の第１の実施の形態に係る定型容器の格納棚１０は、以上のように構成されていることから、各ボックス集合体１６は、床面ＦＬ上に単に載置されているのみであり、床面ＦＬに対し特に固定はされていなくとも、各ボックス集合体１６同士が支えあって、多段に積み重ねられた有蓋ボックス１２の、転倒や倒壊を確実に防止することができる。
【００３０】
続いて、図９から図１２を参照しながら、本発明の第２の実施の形態に係る定型容器の格納棚４４についての説明を行う。ここで、本発明の第１の実施の形態と同一部分、若しくは相当する部分については、同一符号で示し、詳しい説明を省略する。
【００３１】
本発明の第２の実施の形態に係る定型容器の格納棚４４は、一定数の定型容器（図示の例では、四本のドラム缶Ｃ）が載置された矩形の平パレット４６が多段（図示の例では三段）に積層され、最上段の平パレット４６に載置されたドラム缶Ｃの上面に、押え蓋４８が載置された状態で、押え蓋４８及び少なくとも上下に隣接する平パレット４６同士が連結手段５０によって連結されて一体に固定された、パレット集合体５２が形成されている。又、パレット集合体５２が、所定の間隔を空けて前後左右に複数配置され、更に、隣接するパレット集合体５２の押え蓋同士が連結杆１８によって連結され、複数のパレット集合体５２が一体に固定されてなるものである。なお、各パレット集合体５２は、床面ＦＬ上に単に載置されているのみであり、床面ＦＬに対し特に固定はされていない。又、必要に応じ、上下に隣接する有蓋ボック１２同士だけではなく、最上段および最下段の有蓋ボックス１２同士も、適切な手段によって固定することとしても良い。更に、連結杆１８による各ボックス集合体１６の固定位置は、最上段に限定されるものではなく、例えば、最上段の一段下の段において、連結杆１８により各パレット集合体５２同士を固定することも可能である。
押え蓋４８は、金属板により構成されており、図１１に示されるように、強度を高め、かつ、ドラム缶Ｃの上端部を覆い隠すよう、端部４８ａが鍔状に折り曲げられている。又、図１２に示されるように、平パレット４６の側面には、フック５２を固定するための横梁５８が設けられている。
【００３２】
連結手段５０は、平パレット及び押え蓋の側面に設けられたフック５２と、上下のフック５２間に掛けられる伸縮自在なワイヤ５４とで構成されている。本実施の形態では、ワイヤ５４の伸縮性を確保するために、ターンバックル５６の両端に二本のワイヤ５４を連結した構造を採用している。従って、上下のフック５２間にワイヤ５４の両端部を掛け、ターンバックル５６を縮めるように調整することで各ワイヤ５４に適切なテンションを付与し、押え蓋４８及び各平パレット４６同士が強固に固定される。なお、ワイヤ５４の伸縮構造を得るために、他のワイヤ巻き取り手段などを用いることも可能である。又、図示の例では、連結手段５０は、四方の各側面に二組づつ設けられているが、必要に応じ、各一組又は三組以上設けることとしても良い。
【００３３】
又、本発明の第２の実施の形態では、図１０に示されるように、連結杆１８を押え蓋４８の四方の辺に二組づつ用いており、連結杆１８は押え蓋４８に対してねじ止め等適切な手法によって着脱自在に固定されている。当然に、本発明の第１の実施の形態における門型ブラケット３６ＡやＬ字状ステー３６Ｂ（図７参照）を、押え蓋４８に固定して連結杆１８の固定に用いることも可能である。又、必要に応じ、連結杆１８を押え蓋４８の四方の辺に一組、又は、三組以上用いることも可能である。
【００３４】
さて、上記構成をなす、本発明の第２の実施の形態によれば、次のような作用効果を得ることが可能である。まず、定型容器の格納棚４４は、一定数の定型容器Ｃが載置された矩形の平パレット４６が多段に積層された状態で一体に固定されたパレット集合体５２が、所定の間隔Ｌを空けて前後左右に複数配置され、更に、隣接するパレット集合体５２の上端部同士が連結杆１８によって連結されて、複数のパレット集合体５２が一体に固定されてなるものである。従って、地震に見舞われるような不慮の事態においても、各パレット集合体５２によって平パレット４６に載置された複数の定型容器Ｃの荷崩れを防ぎ、なおかつ、各パレット集合体５２同士が支えあうことにより、パレット集合体５２の転倒を防止することができる。
又、隣接するパレット集合体５２の間の、所定の間隔Ｌの隙間部分を、通路等、有効な空間として利用することが可能となっている。よって、各ボックス集合体１６単位で、積層されたドラム缶Ｃの保管状況を確認することも容易である。なお、各パレット集合体５２の間の、縦方向又は横方向の隙間Ｌは、必ずしも全列均一である必要はなく、必要に応じて適宜設定することが可能である。
【００３５】
又、本発明の第２の実施の形態に係る定型容器の格納棚４４は、平パレット４６及び押え蓋４８の側面に設けられたフック５２と、上下のフック５２、５２間に掛けられる伸縮自在なワイヤ５４とで、上下の平パレット４６同士が連結されて一体に固定されたパレット集合体５２が形成されるものである。そして、各パレット集合体５２単位での、定型容器及び平パレットの倒壊を防止するものである。
又、連結杆１８は、二本の角棒乃至角パイプ３８が、ターンバックル４０によって連結されてなることから、ターンバックル１８を伸縮させることで、二本の角棒乃至角パイプ３８の端部間距離が変化し、連結杆が伸縮するものである。そして、連結杆１８が伸縮自在であることから、各パレット集合体５２の連結作業を行う際には、隣接するパレット集合体５２の上端部同士を連結するに適した長さに連結杆１８を調整して、連結作業を円滑に行うもことができる。又、連結後に連結杆１８を伸縮することで、各連結杆１８に適切なテンションを付与し、隣接するパレット集合体５２同士の安定性を高めることができる。
【００３６】
本発明の実施の第２の実施の形態に係る定型容器の格納棚４４は、以上のように構成されていることから、各パレット集合体５２は、床面ＦＬ上に単に載置されているのみであり、床面ＦＬに対し特に固定はされていなくとも、各パレット集合体５２同士が支えあって、多段に積み重ねられた平パレット４６及び平パレット４６に載置された複数の定型容器Ｃの、転倒や倒壊を確実に防止することができる。
【図面の簡単な説明】
【００３７】
【図１】本発明の第１の実施の形態に係る定型容器の格納棚を部分的に示す側面図である。
【図２】図１に示される、本発明の第１の実施の形態に係る定型容器の格納棚を部分的に示す斜視図である。
【図３】図１に示される、本発明の第１の実施の形態に係る定型容器の格納棚を構成する有蓋ボックスの平面図である。
【図４】図３に示される有蓋ボックスの側面図である。
【図５】図３に示される有蓋ボックスの縦断面図である。
【図６】図１に示される、本発明の第１の実施の形態に係る定型容器の格納棚の、連結手段を示す側面図である。
【図７】図１に示される、本発明の第１の実施の形態に係る定型容器の格納棚の、連結杆を示す斜視図である。
【図８】図１に示される、本発明の第１の実施の形態に係る定型容器の格納棚の、ガイド金具を示す側面図である。
【図９】本発明の第２の実施の形態に係る定型容器の格納棚を部分的に示す側面図である。
【図１０】図９に示される、本発明の第２の実施の形態に係る定型容器の格納棚を部分的に示す平面図である。
【図１１】図１０のＤ−Ｄ断面図である。
【図１２】図９のＢ−Ｂ断面図である。
【符号の説明】
【００３８】
１０、４４：定型容器の格納棚、  １２：有蓋ボックス、  １４、５０：連結手段、  １６：ボックス集合体、１８：連結杆、２０：パレット部、２２：蓋部、２８：ボルト、  ３０、３６：固定金具、３０Ａ：円管状ブラケット、３０Ｂ：Ｌ字状ステー、３６Ａ：門型ブラケット、３６Ｂ：Ｌ字状ステー、３８：角パイプ、  ４０、５６：ターンバックル、  ４２：ガイド金具、４６：平パレット、４８：押え蓋、５２：フック、５４：ワイヤ、Ｃ：ドラム缶、Ｌ：所定の間隔
【図１】
2009073597.tif 000003
【図２】
2009073597.tif 000004
【図３】
2009073597.tif 000005
【図４】
2009073597.tif 000006
【図５】
2009073597.tif 000007
【図６】
2009073597.tif 000008
【図７】
2009073597.tif 000009
【図８】
2009073597.tif 000010
【図９】
2009073597.tif 000011
【図１０】
2009073597.tif 000012
【図１１】
2009073597.tif 000013
【図１２】
2009073597.tif 000014